(57)【要約】【課題】一つの乱射棒だけでなく、異なる二つを同時に連接しても良く、特に、その投光端に、異なる二つの乱射棒が一内一外に配置されれば、周囲への乱射効果が向上し、層次感覚ももっと増加することができる懐中電灯を提供する。【解決手段】その投光端に、投光を受けてから乱射させることができる第１の乱射棒が投光の方向に延伸するように設置されている懐中電灯において、前記投光端と前記第１の乱射棒とは、雌ねじと雄ねじとからなる一対のねじ手段により互いに連接しており、該投光端に前記雌ねじと雄ねじとの一方、また該乱射棒に他方が形成されており、それに、該投光端のは、該第１の乱射棒のとねじ合いによりどん底まで連接した後、まだその先頭部及び末尾部の一方に少なくとも２ピッチが残って更に他の前記乱射棒にあるねじ手段と同一種類のねじと連接することができるように構成されている。【選択図】図２
0003125495.tif 000002
【実用新案登録請求の範囲】
【請求項１】
その投光端に、投光を受けてから乱射させることができる第１の乱射棒が投光の方向に延伸するように設置されている懐中電灯において、
前記投光端と前記第１の乱射棒とは、雌ねじと雄ねじとからなる一対のねじ手段により互いに連接しており、
該投光端に前記雌ねじと雄ねじとの一方、また該乱射棒に他方が形成されており、
それに、該投光端のは、該第１の乱射棒のとねじ合いによりどん底まで連接した後、まだその先頭部及び末尾部の一方に少なくとも２ピッチが残って更に他の前記乱射棒にあるねじ手段と同一種類のねじと連接することができるように構成されていることを特徴とする懐中電灯。
【請求項２】
前記投光端のねじ手段は雌ねじであって前記第１の乱射棒のねじ手段は雄ねじであり、
前記第１の乱射棒の前記雄ねじが形成されていて前記投光端の雌ねじと連接している一端部は、前記第１の乱射棒の該一端部以外の胴身より外径が大きくなっていて該胴身の前記一端部の直前にあって前記雌ねじ内にも入っている部分が前記雌ねじの内周と円環形の隙間を挟むようになっていることを特徴とする請求項１に記載の懐中電灯。
【請求項３】
中空形のものであって、その一端に前記隙間に挿入することができる開口付き頚部が形成してあり、該頚部の先端部に前記雌ねじと連接することができる雄ねじが形成してあり、また、前記頚部が前記隙間に挿入してその雄ねじで前記雌ねじと連接すると、前記第１の乱射棒をその中空形内に収納する大きさを有する第２の乱射棒をも備えていることを特徴とする請求項２に記載の懐中電灯。
【請求項４】
前記第１の乱射棒は中実のものであることを特徴とする請求項３に記載の懐中電灯。
【請求項５】
前記第１の乱射棒は複数の直管形光繊維チューブから束ねられてなったものであることを特徴とする請求項３に記載の懐中電灯。
【請求項６】
前記第１の乱射棒は断面非円形のものであることを特徴とする請求項４に記載の懐中電灯。
【請求項７】
前記第２の乱射棒はペットボトルであることを特徴とする請求項３に記載の懐中電灯。
【請求項８】
前記第２の乱射棒がその雄ねじと前記雌ねじとのねじ合いにより前記投光端に連接されていることを特徴とする請求項３に記載の懐中電灯。
【請求項９】
前記第１の乱射棒が前記投光端から取外されたままで、前記第２の乱射棒がその雄ねじと前記雌ねじとのねじ合いにより前記投光端に連接されていることを特徴とする請求項３に記載の懐中電灯。
【考案の詳細な説明】
【技術分野】
【０００１】
本考案は、懐中電灯に関し、特にその投光端に乱射棒が連接していて投光を乱射させることができる懐中電灯に関する。
【背景技術】
【０００２】
図７に示すのは、従来からの、その投光端がペットボトル３００と連接できるように構成されていてペットボトル３００との連接により投光を受けてから乱射させる懐中電灯２００である。（特許文献１参照）
【０００３】
この懐中電灯２００では、日常生活に有り触れたペットボトル３００を随時に導入して利用し、警告灯や指揮棒、蛍光灯、炬燵などとして使うことができるので、懐中電灯の用途を拡大することができる上、拡大用途の使用にも非常に便利である。
【特許文献１】台湾実用新案第２１０２４４号
【考案の開示】
【考案が解決しようとする課題】
【０００４】
前記懐中電灯は、もちろん日常生活に有り触れたペットボトルの導入利用でなく、その構成自体に他のペットボトルよりももっと面白い外形を有する変形なものが備わっていてその利用によっても前記拡大用途に使用されるものに簡単に変形されても良い。
【０００５】
しかし、ペットボトルであれ、前記のような変形なものであれ、懐中電灯の投光端からの投光を受けてから周囲に乱射させる乱射棒の作用を果たすものであるが、ペットボトルのような中空形のもの一つであれば、投光が多く直線的に透過するので、周囲に乱射させる効果が良くない上、乱射のため光が満ちたそれ自体も層次感覚がなくあまり見栄えがしない、という欠点がある。
【０００６】
前記欠点に鑑みて、本考案は、一つの乱射棒だけでなく、異なる二つを同時に連接しても良い懐中電灯を提供しようとすることをその目的とする。
【課題を解決するための手段】
【０００７】
上記目的を達成するために、本考案は、その投光端に、投光を受けてから乱射させることができる第１の乱射棒が投光の方向に延伸するように設置されている懐中電灯において、前記投光端と前記第１の乱射棒とは、雌ねじと雄ねじとからなる一対のねじ手段により互いに連接しており、該投光端に前記雌ねじと雄ねじとの一方、また該乱射棒に他方が形成されており、それに、該投光端のは、該第１の乱射棒のとねじ合いによりどん底まで連接した後、まだその先頭部及び末尾部の一方に少なくとも２ピッチが残って更に他の前記乱射棒にあるねじ手段と同一種類のねじと連接することができるように構成されていることを特徴とする懐中電灯を提供する。
【考案の効果】
【０００８】
前記構成の懐中電灯は、その投光端のねじが、第１の乱射棒のねじとねじ合いによりどん底まで連接した後、まだその先頭部及び末尾部の一方に少なくとも２ピッチが残って更に他の前記乱射棒にあるねじ手段と同一種類のねじと連接することができるように構成されているので、一つだけでなく、異なる二つの乱射棒を同時に連接し、層次感覚を造ることができる。
【０００９】
そして、前記異なる二つの乱射棒が一内一外に配置されれば、周囲への乱射効果が向上できるばかりでなく、前記層次感覚ももっと増加され得る。
【００１０】
そしてまた、前記一内一外のうち、内に配置される乱射棒が、中実形のものが使用されれば、もちろん日常生活に有り触れたものでないため、この懐中電灯自体に備わっていなければならないが、中空形のものでないので、周囲への乱射効果がもっと向上され得る。
【考案を実施するための最良の形態】
【００１１】
以下、本考案の好適な実施例を図面を参照して説明する。
【００１２】
図１は本考案の懐中電灯１００の一実施例の分解側面図、図２は、同懐中電灯１００の側面図である。
【００１３】
本例においては、図１に示すように、懐中電灯１００は、主として、本体１０と、取付板２０と、ランプ３０と、反射鏡４０と、レンズ５０と、乱射棒６０とからなっている。
【００１４】
本体１０は、円筒形のものであって、その一端寄りの電源部１１と、他端寄りの発光部１２とに分けられている。電源部１１は、電源、例えばセルを内蔵しているものである。発光部１２は、前記電源部１１と連続しいる上、その外周面に雄ねじ１２３が形成されている第１の部分１２１と、円環形であってその内周面に雌ねじ１２４が形成されている上、該雌ねじ１２４と雄ねじ１２３とのねじ合いにより第１の部分１２１と接続して発光部１２の先端部となっている第２の部分１２２とからなっている。発光部１２に、本体１０と同軸に設けられている取付板２０と、取付板２０の中心部に設置されていて本体１０の軸方向に沿って前方（図中の上の方）へ投光することができるランプ３０と、ランプ３０を前記軸方向の周囲から囲んでいてランプ３０からの投光を前方へ集中させるラッパ形の反射鏡４０と、ランプ３０の前方近くに設置されていてランプ３０及び反射鏡４０からの投光を前方へ集中させるレンズ５０とが内蔵されている。即ち、本例においては、発光部１２、特にその第２の部分１２２は、懐中電灯１００の投光端になっていて図中の上方へ投光をすることができる。
【００１５】
もっと詳しくみると、発光部１２における第２の部分１２２は、前記雌ねじ１２４の外に、更に発光部１２の開口部となっている部分の内周面に形成されている雌ねじ１２５を有する。
【００１６】
乱射棒６０は、直棒形のものであってその一端部６０ａに雄ねじ６１が形成されており、この雄ねじ６１と発光部１２における第２の部分１２２の雌ねじ１２５とのねじ合いにより、第２の部分１２２、即ち懐中電灯１００の投光端と連接している。そして、図示のように、乱射棒６０の一端部６０ａの雄ねじが形成された部分は、該一端部６０ａ以外の胴身６２より外径が大きくなっている。従って、図２に示すように、乱射棒６０は、雄ねじ６１と雌ねじ１２５とのとねじ合いにより前記第２の部分１２２に挿入されて雌ねじ１２５のどん底までにねじ込んだ後、その胴身６２の前記一端部６０ａの直前にあって雌ねじ１２５内にも入っている部分が雌ねじ１２５の内周面と円環形の隙間１２６を挟むようになっている。また、図２をもっと詳しくみると、雄ねじ６１がどん底までねじ込まれた雌ねじ１２５の先頭部に２ピッチ以上例えば３ピッチが残っている。
【００１７】
さらに、図３に示すように、この雌ねじ１２５の先頭部に残っている３ピッチによっては、図中の雄ねじ７１１を有する他の乱射棒７０と連接することができる。乱射棒７０は、例えばペットボトル形状をした中空状のものであって、その一端部７０ａに隙間１２６に挿入することができる開口付き頚部７１が形成してあり、頚部７１の外周面に雄ねじ７１１が形成されている。それに、乱射棒７０は、頚部７１が隙間１２６に挿入して雄ねじ７１１と雌ねじ１２５とのねじ合いにより第２の部分１２２と連接すると、乱射棒６０をその中空形内に収納する大きさを有するように構成されている。前記のように、本例においては、乱射棒が二種備わっている。即ち、乱射棒６０は第１の乱射棒とされれば、乱射棒７０は第２の乱射棒となる。また、本例においては、隙間１２６としては、丁度日常生活に有り触れたペットボトルのくびに挿入され、また、雌ねじ１２５が丁度くびの先端に形成されている雄ねじとねじ合うことができるので、第２の乱射棒７０は、ペットボトルで代用されることができる。
【００１８】
また、第１の乱射棒６０は、もちろんペットボトルのような中空状のものであっても良いが、本例においては、その乱射作用の向上のために、塑性材料で作られた中実のものを用いている。
【００１９】
また、本例においては、第１の乱射棒６０としては断面が円形のものであるが、そのねじ６１がついている部分以外の断面が非円形、例えば星形（図４参照）又はハート形（図５参照）になっても良い。さらに、図６に示すように、乱射棒６０としては一端にねじが形成された複数の直管形光繊維チューブから束ねられてなったものでも良い。
【００２０】
なお、本考案は以上の実施の形態に限定されることなく、種々変形が可能である。例えば、前記の例においては、投光端には雌ねじがついているが、それを雄ねじに変えても良い。もちろん、この場合、第１の乱射棒及び第２の乱射棒の方は、雌ねじに変え、前記の例において雌ねじ１２５の先頭部に残っているピッチは、雄ねじに変えた後の末尾部に移す上、拡径しなければならない。そして、第２の乱射棒は、前記のように、そのねじが雌ねじに変えるので、日常生活に有り触れたものでないものになり、ペットボトルを無料に導入して利用することができなく、第１の乱射棒のように特に用意しなければならない。
【産業上の利用可能性】
【００２１】
本考案の懐中電灯は、異なる二つの乱射棒が一内一外に配置されれば、周囲への乱射効果が向上できるばかりでなく、層次感覚ももっと増加され得るから、ライブコンサ−とやパーティなどの際に、警告灯や指揮棒、蛍光灯、炬燵などとして使うことができるので、懐中電灯の拡大用途の使用にも非常に便利である。
【図面の簡単な説明】
【００２２】
【図１】本考案の懐中電灯の一実施例の分解側面図。
【図２】本考案の懐中電灯の側面図。
【図３】本考案の二つの乱射棒と同時に連接した懐中電灯の実施例の側面図。
【図４】本考案の乱射棒の例を概略的に示す斜面図。
【図５】本考案の乱射棒の例を概略的に示す斜面図。
【図６】本考案の乱射棒の例を概略的に示す斜面図。
【図７】従来のペットボトルと連接した懐中電灯の側面図。
【符号の説明】
【００２３】
１００．．．懐中電灯
１０．．．本体
１１．．．電源部
１２．．．発光部
１２１．．．発光部の第１の部分
１２２．．．発光部の第２部分
１２３．．．雄ねじ
１２４．．．雌ねじ
１２５．．．雌ねじ
１２６．．．隙間
２０．．．取付板
３０．．．ランプ
４０．．．反射鏡
５０．．．レンズ
６０．．．（第１の）乱射棒
６０ａ．．．一端部
６１．．．雄ねじ
６２．．．胴身
７０．．．（第２の）乱射棒
７０ａ．．．一端部
７１．．．頚部
７１１．．．雄ねじ
【図１】
0003125495.tif 000003
【図２】
0003125495.tif 000004
【図３】
0003125495.tif 000005
【図４】
0003125495.tif 000006
【図５】
0003125495.tif 000007
【図６】
0003125495.tif 000008
【図７】
0003125495.tif 000009